(57)【要約】【課題】  冷蔵庫の除霜時には、ガラス管ヒータにより、熱せられた空気が上昇するが、保護板が少しでも傾いていると、片側に加熱された空気が流れてしまう。このように、熱せられた空気が偏って上昇してしまう。【解決手段】  本発明は、冷蔵庫の除霜装置において、冷却器(1)と、この冷却器(1)の下に配置されたガラス管ヒータ(3)と、このガラス管ヒータ(3)と前記冷却器(1)との間に配置され、前記ガラス管ヒータ(3)側に開口し、天板部(2a)と前垂れ部(2b)と後垂れ部(2c)からなる略断面コ字状の保護板(2)と、前記保護板(2)の両サイドを塞ぐ様に配置された閉塞部(2d,1a,3a)と、前記前垂れ部(2b)と後垂れ部(2c)の少なくとも一方の中央部に設けられた切欠(2e)とを備えたことを特徴とする。【選択図】    図５
2006220333.tif 000002
【特許請求の範囲】
【請求項１】
冷却器(1)と、
この冷却器(1)の下に配置されたガラス管ヒータ(3)と、
このガラス管ヒータ(3)と前記冷却器(1)との間に配置され、前記ガラス管ヒータ(3)側に開口し、天板部(2a)と前垂れ部(2b)と後垂れ部(2c)からなる略断面コ字状の保護板(2)と、
前記保護板(2)の両サイドを塞ぐ様に配置された閉塞部(2d,1a,3a)と、
前記前垂れ部(2b)と後垂れ部(2c)の少なくとも一方の中央部に設けられた切欠(2e)とを備えたことを特徴とする冷蔵庫の除霜装置。
【請求項２】
前記閉塞部(1a)は、前記冷却器(1)の側板(1a)であることを特徴とする請求項１の冷蔵庫の除霜装置。
【請求項３】
前記閉塞部(2d)は、前記保護板(2)に一体に設けられていることを特徴とする請求項１の冷蔵庫の除霜装置。
【請求項４】
前記閉塞部(3a)は、前記ガラス管ヒータ(3)の左右のキャップであることを特徴とする請求項１の冷蔵庫の除霜装置。
【請求項５】
前記切欠(2e)は、複数設けられていることを特徴とする請求項１〜請求項４のいずれか１項に記載の冷蔵庫の除霜装置。
【請求項６】
前記前垂れ部(2b)と前記後垂れ部(2c)の両方の中央部に前記切欠(2e)を設けたことを特徴とする請求項１〜請求項５のいずれか１項に記載の冷蔵庫の除霜装置。
【請求項７】
冷却器(1)と、この冷却器(1)の下に配置されたガラス管ヒータ(3)と、このガラス管ヒータ(3)と前記冷却器(1)との間に配置される保護板(2)とを備える冷蔵庫の除霜装置において、
前記ガラス管ヒータ(3)によって加熱されたガラス管ヒータ周辺の空気が前記保護板(2)の下で一旦滞留するように前記保護板(2)は天板部(2a)の下面の周囲を囲む囲み部(2b,2c,2d)(2b,2c,1a)(2b,2c,3a)を形成するとともに、前記加熱された空気が前記冷却器(1)の中央に上昇する位置の前記囲み部に切欠(2e)を設けたことを特徴とする冷蔵庫の除霜装置。
【発明の詳細な説明】
【技術分野】
【０００１】
本発明は、除霜用のガラス管ヒータを備えた冷蔵庫の除霜装置に関する。
【背景技術】
【０００２】
冷蔵庫では、冷蔵庫内の冷蔵室および冷凍室の温度を計測して、冷凍サイクルのオン/オフ制御をして、冷蔵庫内の冷蔵室および冷凍室の温度を所定温度に調整している。この冷蔵庫では、冷凍サイクルの冷却器（蒸発器）で冷却された冷気を冷気循環用のファンで庫内に循環させる。
【０００３】
庫内の冷凍室等から戻ってくる空気は、冷却器の下から流入し、冷却器のフィン間を通り、この冷却器の上から再度庫内の冷凍室等に出て行くように設計されている。この冷却器に流入した空気は、この冷却器で露点以下まで冷却されるために、冷却器には霜が付着してしまう。
【０００４】
この霜を除くために冷蔵庫では、除霜装置により除霜を行う。図１〜図３を参照しつつ、この除霜を説明する。
【０００５】
図１は除霜装置の側断面図である。図２は正面図、図３は保護板とガラス管ヒータの一部の斜視図である。１は冷却器である。２は保護板、３はガラス管ヒータである。
【０００６】
この冷却器１の霜を除くために、冷却器１の下方に除霜用のガラス管ヒータ３がほぼ水平に設けられている（なお、この冷却器の下部に一体に除霜用のガラス管ヒータがほぼ水平に設けられているタイプもある）。この除霜時に冷却器１で解けた露水が、ガラス管ヒータ３に直接落下すると蒸発音が発生する。この蒸発音は、使用者にとっては不快音である。この蒸発音の発生を防止するため、ガラス管ヒータ３の上部には、保護板２が配置されている。
【０００７】
しかし、この保護板２は、冷蔵庫の冷却運転時の冷気の流れの邪魔になったり、除霜時においてガラス管ヒータ３からの輻射熱を遮ったりしている。このため、この保護板２の形状については、様々な提案が為されている。
【０００８】
例えば、特許文献１、２では、保護板に通風孔を設けることが提案されている。また、特許文献３では、保護板を断面逆Ｖ字型することが提案されている。また、特許文献４では、排水性能の良い保護板形状が提案されている。
【特許文献ｌ】実開平６-５６６７５号公報
【特許文献２】特開２００３-４３６１号公報
【特許文献３】特開２００２-１４７９２４号公報
【特許文献４】特開平８−１１０１４６号公報
【発明の開示】
【発明が解決しようとする課題】
【０００９】
本件発明者は、除霜時に熱せられた空気が上昇するが、この上昇にバラツキが生じていることに気が付いた。
【００１０】
除霜時に、ガラス管ヒータ３は、熱輻射によって冷却器１を加熱して除霜すると共に、ガラス管ヒータ近傍の空気を加熱し、この加熱された空気が上昇して（対流により）冷却器１に到達して除霜する。
【００１１】
この加熱空気の上昇時に図４に示す如く、保護板２が少しでも傾いていると、片側に加熱された空気が図中の矢印の如く流れてしまう。このように、熱せられた空気は偏って上昇してしまう。このため、冷却器１の除霜にバラツキが生じてしまう。
【００１２】
本発明は、保護板２の傾きに関係なく、冷却器１の除霜を一様に行う冷蔵庫を提供することを目的とする。つまり、本発明は、保護板２の傾きにより惹起される霜の融解進行状況のバラツキを少なくするものである。
【課題を解決するための手段】
【００１３】
本発明は、冷蔵庫の除霜装置において、冷却器(1)と、この冷却器(1)の下に配置されたガラス管ヒータ(3)と、このガラス管ヒータ(3)と前記冷却器(1)との間に配置され、前記ガラス管ヒータ(3)側に開口し、天板部(2a)と前垂れ部(2b)と後垂れ部(2c)からなる略断面コ字状の保護板(2)と、前記保護板(2)の両サイドを塞ぐ様に配置された閉塞部(2d,1a,3a)と、前記前垂れ部(2b)と後垂れ部(2c)の少なくとも一方の中央部に設けられた切欠(2e)とを備えたことを特徴とする。
【００１４】
また、前記閉塞部(1a)は、前記冷却器(1)の側板(1a)であることを特徴とする。また、前記閉塞部(2d)は、前記保護板(2)に一体に設けられていることを特徴とする。また、前記閉塞部(3a)は、前記ガラス管ヒータ(3)の左右のキャップであることを特徴とする。また、前記切欠(2e)は、複数設けられていることを特徴とする。また、前記前垂れ部(2b)と前記後垂れ部(2c)の両方の中央部に前記切欠(2e)を設けたことを特徴とする。
【００１５】
本発明は、冷却器(1)と、この冷却器(1)の下に配置されたガラス管ヒータ(3)と、このガラス管ヒータ(3)と前記冷却器(1)との間に配置される保護板(2)とを備える冷蔵庫の除霜装置において、前記ガラス管ヒータ(3)によって加熱されたガラス管ヒータ周辺の空気が前記保護板(2)の下で一旦滞留するように前記保護板(2)は天板(2a)の下面の周囲を囲む囲み部(2b,2c,2d)(2b,2c,1a)(2b,2c,3a)を形成するとともに、前記加熱された空気が前記冷却器(1)の中央に上昇する位置の前記囲み部に切欠(2e)を設けたことを特徴とする。
【発明の効果】
【００１６】
本発明によれば、除霜装置が少々傾いていても、ガラス管ヒータ３で熱せられた空気は、冷却器１の略中央に供給されるので、冷却器の着霜は中央部分から解け、霜の溶融のバラツキを抑えることができる。
【発明を実施するための最良の形態】
【００１７】
本発明によれば、ガラス管ヒータ３で熱せられた空気は上昇し保護板２の天板部２ａに当たる。そして、天板部２ａの下面の四方周辺は、前垂れ部２ｂ、後垂れ部２ｃ、左右の閉塞部２ｄからなる囲み部により、囲まれているので、この保護板２の内部に加熱された空気が溜まる。そして、加熱された空気が更に溜まると、切欠２ｅから溢れ出して、上昇する。
【００１８】
そして、この切欠２ｅは、中央部に設けているので、加熱された空気は冷却器１の中央部に到達し、この部分から除霜が行われる。つまり、霜の溶融進行状況の左右のバラツキを小さくできる。
【実施例１】
【００１９】
図５は本発明の実施例１の冷蔵庫の保護板２を示している。
【００２０】
保護板２は、ほぼ平板状の天板部２ａと、前垂れ部２ｂと、後垂れ部２ｃと、左右に設けられた閉塞部２ｄと、前垂れ部２ｂと後垂れ部２ｃのほぼ中央に設けられた切欠２ｅとを備えている。
【００２１】
従って、ガラス管ヒータ２によって加熱されたガラス管ヒータ２周辺の空気は、上昇して保護板２にあたり、天板部２ａの下に一旦溜まるが、左右中央付近に設けられた切欠２ｅ部分から上昇する。これにより、熱せられた空気は、冷却器１の中央付近に到達して、この部分の除霜を行う。
【実施例２】
【００２２】
実施例１では、保護板２の一部で、左右端部の閉塞部２ｄを形成したが、本願はこれに限定されるわけではない。また、実施例１では、保護板２の前垂れ部２ｂと後垂れ部２ｃのそれぞれ中央に一つの切欠２ｅを形成したが、本願はこれに限定されるわけではない。
【００２３】
図６の実施例２は、冷却器１の側板１ａ、１ａにガラス管ヒータ３及び保護板２を取り付けるタイプのものであるが、この実施例２では、保護板２の左右両側は、冷却器１の側板１ａ，１ａにより、閉塞される。
【００２４】
また、切欠２ｅは、中央付近に２個設けられている。
【実施例３】
【００２５】
実施例３は、ガラス管ヒータ３として、可燃性冷媒用の２重ガラス管ヒータ３を採用した際の実施例であるが、この実施例３では、ガラス管ヒータ３の左右のキャップ３ａにより、保護板２の左右端部を閉塞している。
【図面の簡単な説明】
【００２６】
【図１】従来の冷蔵庫の除霜を説明するための側断面図である。
【図２】従来の冷蔵庫の除霜を説明するための正面図である。
【図３】従来の保護板とガラス管ヒータの斜視図である。
【図４】従来の課題を説明するための正面図である。
【図５】本発明の実施例１を説明するための斜視図である。
【図６】本発明の実施例２を説明するための組み立て斜視図である。
【図７】本発明の実施例３を説明するための図である。
【符号の説明】
【００２７】
１      冷却器、
２      保護板、
３      ガラス管ヒータ、
２ａ    天板部、
２ｂ    前垂れ部（囲い部）、
２ｃ    後垂れ部（囲い部）、
２ｄ    閉塞部（囲い部）、
２ｅ    切欠、
１ａ    冷却器の側板（閉塞部、囲い部）、
３ａ    ガラス管ヒータのキャップ（閉塞部、囲い部）。
【図１】
2006220333.tif 000003
【図２】
2006220333.tif 000004
【図３】
2006220333.tif 000005
【図４】
2006220333.tif 000006
【図５】
2006220333.tif 000007
【図６】
2006220333.tif 000008
【図７】
2006220333.tif 000009